【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力のＦ１レンズ群と負の屈折力のＦ２レンズ群を含む前群と、光路を折り曲げる反射部材を含む中間群と、複数のレンズ群を含む後群を有し、ズーミングに際して、隣り合うレンズ群の間隔が変化するように、前記Ｆ１レンズ群と前記Ｆ２レンズ群が移動し、前記中間群は不動であり、前記後群を構成する少なくとも一つのレンズ群が移動するズームレンズであって、
前記Ｆ１レンズ群は、物体側から像側へ順に、負レンズと正レンズよりなり、
前記Ｆ１レンズ群の焦点距離をｆＦ１、広角端における全系の焦点距離をｆｗとするとき、
８．５＜ｆＦ１／ｆｗ＜１２
なる条件式を満足することを特徴とするズームレンズ。
【請求項２】
前記後群は、物体側から像側へ順に、正の屈折力のＲ１レンズ群、負の屈折力のＲ２レンズ群、正の屈折力のＲ３レンズ群、正の屈折力のＲ４レンズ群より構成され、
広角端から望遠端へのズーミングに際して、前記Ｆ１レンズ群は像側に凸状の軌跡で移動し、前記Ｆ２レンズ群は像側へ移動し、前記Ｒ１レンズ群と前記Ｒ３レンズ群は物体側へ移動し、前記Ｒ４レンズ群は物体側に凸状の軌跡で移動することを特徴とする請求項１のズームレンズ。
【請求項３】
前記後群は、物体側から像側へ順に、正の屈折力のＲ１レンズ群、負の屈折力のＲ２レンズ群、正の屈折力のＲ３レンズ群より構成され、
広角端から望遠端へのズーミングに際して、前記Ｆ１レンズ群は像側へ凸状の軌跡で移動し、前記Ｆ２レンズ群は像側へ移動し、前記Ｒ１レンズ群は物体側へ移動し、前記Ｒ３レンズ群は物体側に凸状の軌跡で移動することを特徴とする請求項１のズームレンズ。
【請求項４】
前記Ｆ１レンズ群の光軸上の厚さをｄＦ１とするとき、
０．０８＜ｄＦ１／ｆＦ１＜０．１４
なる条件式を満足することを特徴とする請求項１乃至３のいずれか１項のズームレンズ。
【請求項５】
前記Ｆ２レンズ群の焦点距離をｆＦ２、望遠端における全系の焦点距離をｆｔとするとき、
−０．３０＜ｆＦ２／ｆｔ＜−０．１３
なる条件を満足することを特徴とする請求項１乃至４のいずれか１項のズームレンズ。
【請求項６】
前記Ｆ１レンズ群を構成する負レンズの材料のアッベ数をνＦ１ｎ、前記Ｆ１レンズ群を構成する正レンズの材料の屈折率とアッベ数を各々ｎＦ１ｐ、νＦ１ｐとするとき、
１．５５＜ｎＦ１ｐ＜１．８２
２２＜νＦ１ｐ−νＦ１ｎ＜４７
なる条件式を満足することを特徴とする請求項１乃至５のいずれか１項のズームレンズ。
【請求項７】
前記Ｆ１レンズ群を構成する負レンズと正レンズは接合されており、前記負レンズの物体側のレンズ面の曲率半径をＲＦ１ｎａ、前記正レンズの像側のレンズ面の曲率半径をＲＦ１ｐｂとするとき、
−０．９０＜（ＲＦ１ｎａ−ＲＦ１ｐｂ）／（ＲＦ１ｎａ＋ＲＦ１ｐｂ）＜−０．５５
なる条件式を満足することを特徴とする請求項１乃至６のいずれか１項のズームレンズ。
【請求項８】
前記中間群は負の屈折力のＭ１レンズ群を有することを特徴とする請求項１乃至７のいずれか１項のズームレンズ。
【請求項９】
前記前群は、物体側から像側へ順に、前記Ｆ１レンズ群、前記Ｆ２レンズ群、正の屈折力のＦ３レンズ群よりなり、ズーミングに際して前記Ｆ３レンズ群が移動することを特徴とする請求項１乃至８のいずれか１項のズームレンズ。
【請求項１０】
沈胴収納に際して、前記前群は光軸方向において前記中間群側へ移動し、前記中間群は不動であることを特徴とする請求項１乃至９のいずれか１項のズームレンズ。
【請求項１１】
沈胴収納に際して前記中間群は不動であり、前記後群は像側へ移動し、前記Ｆ２レンズ群は前記中間群と前記後群の間に移動し、前記Ｆ１レンズ群は光軸方向において前記中間群側へ移動することを特徴とする請求項１乃至９のいずれか１項のズームレンズ。
【請求項１２】
請求項１乃至１１のいずれか１項に記載のズームレンズと、該ズームレンズによって形成された像を受光する固体撮像素子を有することを特徴とする撮像装置。
【手続補正２】
【補正対象書類名】明細書
【補正対象項目名】全文
【補正方法】変更
【補正の内容】
【発明の詳細な説明】
【発明の名称】ズームレンズ及びそれを有する撮像装置
【技術分野】
【０００１】
本発明はデジタルスチルカメラ、ビデオカメラ等に好適な小型で高ズーム比のズームレンズに関する。特に非撮影時に撮影装置全体の小型化が容易な携帯性に優れたズームレンズに関する。
【背景技術】
【０００２】
最近、撮像装置に用いられる撮影光学系は、高ズーム比で、全体が小型であることが求められており、特にカメラに適用したときカメラの厚みを薄くできる携帯性の良いズームレンズであることが求められている。カメラの小型化とズームレンズの高ズーム比化を図るため、非撮影時に各レンズ群の間隔を撮影状態と異なる間隔まで縮小してカメラ筐体内に収納する、所謂沈胴式のズームレンズが知られている。またカメラの厚みを薄くするために、撮影光学系の光軸を９０°折り曲げる反射部材を光路中に配置した、所謂屈曲式のズームレンズが知られている。
【０００３】
従来より物体側より像側へ順に、正、負、正、正の屈折力の第１乃至第４レンズ群からなり第２レンズ群と第３レンズ群の間に折り曲げ用の反射部材を配したズーム比６程度のズームレンズが知られている（特許文献１）。
【０００４】
特許文献１では、非撮影時には反射部材が回動し、反射部材が回動することによって生じた空間に、反射部材の物体側に位置するレンズ群を沈胴収納するようにしたズームレンズを開示している。この他、物体側から像側へ順に、正、負、正、正、負、正の屈折力の第１乃至第６レンズ群からなり、第３レンズ群に光路を略９０度に折り曲げる反射部材を配したズーム比１０程度のズームレンズが知られている（特許文献２）。
【先行技術文献】
【特許文献】
【０００５】
【特許文献１】特開２００７−２７９５４１号公報
【特許文献２】特開２００８−１０２３９８号公報
【発明の概要】
【発明が解決しようとする課題】
【０００６】
撮影光学系の光路を折り曲げる反射部材を備えると共に沈胴式を利用したズームレンズであれば高ズーム比化が容易で、またカメラに適用したときカメラの厚みを薄くすることが容易になる。しかしながら、これらの効果を得るためにはズームレンズのレンズ構成を適切に設定し、かつ反射部材の光路中の配置等を適切に設定することが重要になってくる。例えば、レンズ群の数、各レンズ群の屈折力配置、ズーミングの際の各レンズ群の移動条件等のレンズ構成や反射部材を光路中に配置するときの位置等を適切に設定することが重要になってくる。これらの構成が適切でないと、上記の効果を得ることが難しい。
【０００７】
特許文献１では第２レンズ群と第３レンズ群の間に反射部材を配した広角端における撮影半画角が３３度程度、ズーム比６程度のズームレンズを開示している。また特許文献２では第３レンズ群に反射部材を配した、広角端における撮影半画角４０度程度、ズーム比１０程度のズームレンズを開示している。特許文献１、２のズームレンズにおいて更に高ズーム比化を図ろうとすると変倍用のレンズ群の移動量が増大し、また前玉有効径も増大し、レンズ径全体が大型化する傾向となる。
【０００８】
例えばズーム比６〜１０程度の高ズーム比化を図ろうとすると、反射部材よりも物体側の各レンズ群のレンズ枚数が増えてレンズ厚が増加し、またズーミングに際しての移動量が増大し、レンズ系全体が大型化してくる傾向がある。また沈胴状態においてカメラの厚さが増加する傾向がある。
【０００９】
本発明は、高ズーム比で良好なる画像を容易に得ることができ、しかもカメラに適用したときカメラ等の厚みを薄くすることができるズームレンズ及びそれを用いた撮像装置を提供することを目的とする。
【課題を解決するための手段】
【００１０】
本発明のズームレンズは、物体側から像側へ順に、正の屈折力のＦ１レンズ群と負の屈折力のＦ２レンズ群を含む前群と、光路を折り曲げる反射部材を含む中間群と、複数のレンズ群を含む後群を有し、ズーミングに際して、隣り合うレンズ群の間隔が変化するように、前記Ｆ１レンズ群と前記Ｆ２レンズ群が移動し、前記中間群は不動であり、前記後群を構成する少なくとも一つのレンズ群が移動するズームレンズであって、
前記Ｆ１レンズ群は、物体側から像側へ順に、負レンズと正レンズよりなり、
前記Ｆ１レンズ群の焦点距離をｆＦ１、広角端における全系の焦点距離をｆｗとするとき、
８．５＜ｆＦ１／ｆｗ＜１２
なる条件式を満足することを特徴としている。
【発明の効果】
【００１１】
本発明によれば、高ズーム比で良好なる画像を容易に得ることができ、しかもカメラに適用したときカメラ等の厚みを薄くすることができるズームレンズが得られる。
【図面の簡単な説明】
【００１２】
【図１】本発明の実施例１の光路を展開したときの、（Ａ）は広角端、（Ｂ）は中間のズーム位置、（Ｃ）は望遠端におけるレンズ断面図
【図２】本発明の実施例１の（Ａ）は広角端、（Ｂ）は中間のズーム位置、（Ｃ）は望遠端における収差図
【図３】本発明の実施例２の光路を展開したときの、（Ａ）は広角端、（Ｂ）は中間のズーム位置、（Ｃ）は望遠端におけるレンズ断面図
【図４】本発明の実施例２の（Ａ）は広角端、（Ｂ）は中間のズーム位置、（Ｃ）は望遠端における収差図
【図５】本発明の実施例３の光路を展開したときの、（Ａ）は広角端、（Ｂ）は中間のズーム位置、（Ｃ）は望遠端におけるレンズ断面図
【図６】本発明の実施例３の（Ａ）は広角端、（Ｂ）は中間のズーム位置、（Ｃ）は望遠端における収差図
【図７】本発明の実施例４の光路を展開したときの、（Ａ）は広角端、（Ｂ）は中間のズーム位置、（Ｃ）は望遠端におけるレンズ断面図
【図８】本発明の実施例４の（Ａ）は広角端、（Ｂ）は中間のズーム位置、（Ｃ）は望遠端における収差図
【図９】本発明の実施例５の光路を展開したときの、（Ａ）は広角端、（Ｂ）は中間のズーム位置、（Ｃ）は望遠端におけるレンズ断面図
【図１０】本発明の実施例５の（Ａ）は広角端、（Ｂ）は中間のズーム位置、（Ｃ）は望遠端における収差図
【図１１】本発明の実施例１のズームレンズをカメラ本体に収納したときの（Ｗ）は広角端、（Ｔ）は望遠端におけるレンズ断面図
【図１２】本発明の実施例１のズームレンズの沈胴状態のレンズ断面図
【図１３】本発明の実施例１のズームレンズの沈胴状態のレンズ断面図
【図１４】本発明の撮像装置の要部概略図
【発明を実施するための形態】
【００１３】
以下に、本発明の好ましい実施の形態を、添付の図面に基づいて説明する。本発明のズームレンズは、物体側から像側へ順に、正の屈折力のＦ１レンズ群、負の屈折力のＦ２レンズ群を有し、ズーミングに際してＦ１レンズ群とＦ２レンズ群が移動する前群を有する。更に光路を折り曲げる反射部材を含むズーミングに際して不動の中間群と、ズーミングに際して移動するレンズ群を含む複数のレンズ群よりなる後群からなっている。Ｆ１レンズ群は物体側から像側へ順に負レンズと正レンズよりなっている。
【００１４】
図１（Ａ）、（Ｂ）、（Ｃ）は本発明の実施例１のズームレンズの光路を展開したときの広角端（短焦点距離端）、中間のズーム位置、望遠端（長焦点距離端）におけるレンズ断面図である。図２（Ａ）、（Ｂ）、（Ｃ）はそれぞれ実施例１のズームレンズの広角端、中間のズーム位置、望遠端における収差図である。実施例１はズーム比９．４５、Ｆナンバー３．２１〜６．０７である。
【００１５】
図３（Ａ）、（Ｂ）、（Ｃ）は本発明の実施例２のズームレンズの光路を展開したときの広角端、中間のズーム位置、望遠端におけるレンズ断面図である。図４（Ａ）、（Ｂ）、（Ｃ）はそれぞれ実施例２のズームレンズの広角端、中間のズーム位置、望遠端における収差図である。実施例２はズーム比９．４８、Ｆナンバー３．８４〜６．０７である。
【００１６】
図５（Ａ）、（Ｂ）、（Ｃ）は本発明の実施例３のズームレンズの光路を展開したときの広角端、中間のズーム位置、望遠端におけるレンズ断面図である。図６（Ａ）、（Ｂ）、（Ｃ）はそれぞれ実施例３のズームレンズの広角端、中間のズーム位置、望遠端における収差図である。実施例３はズーム比９．４６、Ｆナンバー３．７９〜６．０７である。
【００１７】
図７（Ａ）、（Ｂ）、（Ｃ）は本発明の実施例４のズームレンズの光路を展開したときの広角端、中間のズーム位置、望遠端におけるレンズ断面図である。図８（Ａ）、（Ｂ）、（Ｃ）はそれぞれ実施例４のズームレンズの広角端、中間のズーム位置、望遠端における収差図である。実施例４はズーム比９．４４、Ｆナンバー３．６５〜６．０７である。
【００１８】
図９（Ａ）、（Ｂ）、（Ｃ）は本発明の実施例５のズームレンズの光路を展開したときの広角端、中間のズーム位置、望遠端におけるレンズ断面図である。図１０（Ａ）、（Ｂ）、（Ｃ）はそれぞれ実施例５のズームレンズの広角端、中間のズーム位置、望遠端における収差図である。実施例５はズーム比９．４０、Ｆナンバー４．０２〜６．０７である。
【００１９】
図１１（Ｗ）、（Ｔ）は実施例１のズームレンズの広角端と望遠端において反射部材で光軸を折り曲げた撮影状態の説明図である。図１２は本発明の実施例１のズームレンズをカメラ本体に収納したときの収納状態（沈胴状態）（非撮影時）の一態様の説明図である。図１３は本発明の実施例１のズームレンズをカメラ本体内に収納したときの収納状態の他の態様を示す説明図である。図１４は本発明のズームレンズを備えるデジタルカメラ（撮像装置）の要部概略図である。
【００２０】
各実施例のズームレンズは撮像装置に用いられる撮影光学系であり、光路を展開したレンズ断面図において、左方が物体側（前方）で、右方が像側（後方）である。尚、各実施例のズームレンズをプロジェクター等の投射レンズとして用いるときは、光路を展開したレンズ断面図において、左方がスクリーン、右方が被投射画像となる。レンズ断面図において、ＬＦはズーミングに際して移動する正の屈折力のＦ１レンズ群ＬＦ１と、負の屈折力のＦ２レンズ群ＬＦ２を有する前群である。
【００２１】
ＬＭは光路を折り曲げる反射部材ＰＲを含むズーミングに際して不動の中間群である。ＬＲはズーミングに際して移動するレンズ群を含む複数のレンズ群よりなる後群である。反射部材ＰＲは光学系の光軸を９０度（９０度±１０度以内）折り曲げる反射面を含む反射プリズムや反射ミラー等からなっている。
【００２２】
本実施例において反射部材ＰＲは反射面ＰＲａを含む反射プリズムよりなり、光軸上の光線を入射方向に対し９０度反射させている。ＳＰは開口絞りであり、後群ＬＲの一部を構成するＲ１レンズ群ＬＲ１中に配置されている。Ｇは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００２３】
矢印は広角端から望遠端へのズーミングにおける各レンズ群の移動軌跡を示している。収差図においてｄはｄ線、ｇはｇ線を示す。ΔＭはメリディオナル像面、ΔＳはサジタル像面である。ＦｎｏはＦナンバー、ωは半画角（度）を示す。
【００２４】
図１の実施例１のレンズ断面図において、前群ＬＦは正の屈折力のＦ１レンズ群ＬＦ１、負の屈折力のＦ２レンズ群ＬＦ２よりなっている。中間群ＬＭは反射部材ＰＲよりなっている。後群ＬＲは、物体側から像側へ順に、正の屈折力のＲ１レンズ群ＬＲ１、負の屈折力のＲ２レンズ群ＬＲ２、正の屈折力のＲ３レンズ群ＬＲ３、正の屈折力のＲ４レンズ群ＬＲ４より構成されている。
【００２５】
そして広角端から望遠端へのズーミングに際してＦ１レンズ群ＬＦ１は像側に凸状の軌跡で移動し、Ｆ２レンズ群ＬＦ２は像側へ移動している。Ｒ１レンズ群ＬＲ１とＲ３レンズ群ＬＲ３は物体側へ移動し、Ｒ４レンズ群ＬＲ４は物体側に凸状の軌跡で移動する。
【００２６】
ズーミングに際して中間群ＬＭと第２レンズ群ＬＲ２は不動である。無限遠物体から近距離物体へのフォーカシングはＲ４レンズ群ＬＲ４を光軸上移動させて行っている。後群ＬＲは前述の如く構成することによって中間群ＬＭの外径を小さくしつつ、中間群ＬＭから像面までの距離を短くしつつレンズ全長を短くして全系の小型化を図っている。
【００２７】
実施例１においては、広角端から望遠端へのズーミングに際してＦ１レンズ群ＬＦ１とＦ２レンズ群ＬＦ２の間隔は増大し、Ｆ２レンズ群ＬＦ２と中間群ＬＭの間隔は減少する。また中間群ＬＭとＲ１レンズ群ＬＲ１の間隔は減少し、Ｒ１レンズ群ＬＲ１とＲ２レンズ群ＬＲ２の間隔は増大する。そしてＲ２レンズ群ＬＲ２とＲ３レンズ群ＬＲ３の間隔は減少し、Ｒ３レンズ群ＬＲ３とＲ４レンズ群ＬＲ４の間隔は増大する。
【００２８】
Ｒ１レンズ群ＬＲ１は物体側から像側へ順に正レンズ、開口絞りＳＰ、像側が凹形状の負レンズ、両凸形状の正レンズと負レンズを接合した接合レンズよりなっている。この接合レンズを光軸に対して垂直方向の成分を持つように移動させて像を光軸に対して垂直方向へ移動させている。即ち防振（手振れ補正）を行っている。
【００２９】
Ｒ２レンズ群ＬＲ２は負レンズと正レンズを接合した接合レンズよりなっている。Ｒ３レンズ群ＬＲ３は単一の正レンズよりなっている。Ｒ４レンズ群ＬＲ４は正レンズと負レンズを接合した接合レンズよりなっている。無限遠物体から近距離物体へのフォーカシングはＲ４レンズ群ＬＲ４を物体側へ移動させて行っている。
【００３０】
図３の実施例２、図７の実施例４のレンズ断面図において、前群ＬＦは図１の実施例１と同じである。中間群ＬＭは反射部材ＰＲと負の屈折力のＭ１レンズ群ＬＭ１よりなっている。後群ＬＲの構成は図１の実施例１と同じである。ズーミング及びフォーカシングに関する構成は図１の実施例１と同じである。実施例２，実施例４は実施例１に比べて中間群ＬＭが反射部材ＰＲと負の屈折力のＭ１レンズ群ＬＭ１よりなっている点が異なっているだけであり、その他の構成は同じである。
【００３１】
図５の実施例３のレンズ断面図において前群ＬＦは、物体側から像側へ順に正の屈折力のＦ１レンズ群ＬＦ１、負の屈折力のＦ２レンズ群ＬＦ２、正の屈折力のＦ３レンズ群ＬＦ３よりなっている。広角端から望遠端へのズーミングに際してＦ３レンズ群が移動する。中間群ＬＭは反射部材ＰＲと負の屈折力のＭ１レンズ群ＬＭ１よりなっている。
【００３２】
後群ＬＲの構成は図１の実施例１と同じである。ズーミング及びフォーカシングに関する構成は図１の実施例１と同じである。実施例３は実施例１に比べて前群ＬＦが物体側より像側へ順に、正の屈折力のＦ１レンズ群ＬＦ１、負の屈折力の第２レンズ群ＬＦ２、正の屈折力のＦ３レンズ群ＬＦ３よりなっている点が異なっている。また実施例１に比べて中間群ＬＭが反射部材ＰＲと負の屈折力のＭ１レンズ群ＬＭ１よりなっている点が異なっている。
【００３３】
そして広角端から望遠端へのズーミングに際してＦ１レンズ群ＬＦ１とＦ２レンズ群ＬＦ２の間隔が増大し、Ｆ２レンズ群ＬＦ２とＦ３レンズ群ＬＦ３の間隔が増大することが異なっている。そしてＦ２レンズ群ＬＦ２が２つの負レンズよりなっていること、Ｆ３レンズ群ＬＦ３が単一の正レンズよりなっていることが異なっている。この他の構成は実施例１と同じである。
【００３４】
図９の実施例５のレンズ断面図において、前群ＬＦ１は図１の実施例１と同じである。中間群ＬＭは反射部材ＰＲと負の屈折力のＭ１レンズ群ＬＭ１よりなっている。後群ＬＲは、物体側から像側へ順に、正の屈折力のＲ１レンズ群ＬＲ１、負の屈折力のＲ２レンズ群ＬＲ２、正の屈折力のＲ３レンズ群ＬＲ３よりなっている。
【００３５】
そして広角端から望遠端へのズーミングに際してＦ１レンズ群は像側へ凸状の軌跡で移動し、Ｆ２レンズ群ＬＦ２は像側へ移動している。またＲ１レンズ群ＬＲ１は物体側へ移動し、Ｒ３レンズ群ＬＲ３は物体側に凸状の軌跡で移動する。無限遠物体から近距離物体へのフォーカシングはＲ３レンズ群ＬＲ３を光軸上移動させて行っている。実施例５は実施例２に比べて後群ＬＲが正の屈折力のＲ１レンズ群ＬＲ１、負の屈折力のＲ２レンズ群ＬＲ２、正の屈折力のＲ３レンズ群ＬＲ３よりなっている点が異なっている。
【００３６】
そして広角端から望遠端へのズーミングに際して、Ｒ２レンズ群ＬＲ２とＲ３レンズ群ＬＲ３の間隔が増大する点が異なっている。またＲ３レンズ群ＬＲ３が正レンズと負レンズを接合した接合レンズよりなっているのが実施例２と異なっている。この他の構成は実施例２と同じである。
【００３７】
各実施例のズームレンズでは高ズーム比を確保しつつ、カメラに適用したときのカメラの厚み方向、及び横幅方向共にコンパクトに収納する為に、光路中に光路折り曲げ用の反射部材ＰＲを設けている。そして反射部材ＰＲの前方で最も物体側のＦ１レンズ群ＬＦ１のレンズ構成を適切に設定している。特にＦ１レンズ群ＬＦ１を負レンズと正レンズより構成し、Ｆ１レンズ群ＬＦ１の厚さを薄くしている。
【００３８】
そして各実施例において、Ｆ１レンズ群ＬＦ１の焦点距離をｆＦ１、広角端における全系の焦点距離をｆｗとする。このとき、
８．５＜ｆＦ１／ｆｗ＜１２          ・・・（１）
なる条件を満足するようにしている。
【００３９】
条件式（１）を満足するようにＦ１レンズ群ＬＦ１の焦点距離を適切に設定する事によりＦ１レンズ群ＬＦ１を２つのレンズより構成しつつ、Ｆ１レンズ群ＬＦ１とＦ２レンズ群ＬＦ２のズーミングによる収差変動を抑えている。更にＦ２レンズ群ＬＦ２で所望の変倍分担を担わせるのを容易にしている。この様にＦ１レンズ群ＬＦ１の厚みを薄くする事によって反射部材を含む中間群ＬＭを固定した状態であっても、沈胴時にカメラ厚を薄くするのを容易にしている。
【００４０】
次に条件式（１）の意味について説明する。条件式（１）はＦ１レンズ群ＬＦ１の焦点距離を広角端における全系の焦点距離で規格化しており、Ｆ１レンズ群ＬＦ１を２つのレンズより構成しつつ、前玉有効径を小型に維持するためのものである。条件式（１）の上限値を超えてＦ１レンズ群ＬＦ１の焦点距離が大きくなりすぎるとＦ２レンズ群ＬＦ２で充分な変倍分担を得ることが出来ない。そして所望のズーム比を得る為に後群レンズ群ＬＲの変倍の負担が大きくなり、カメラの横幅が大型化してくるので良くない。
【００４１】
条件式（１）の下限値を超えてＦ１レンズ群ＬＦ１の焦点距離が小さくなりすぎると、Ｆ１レンズ群ＬＦ１のズーミングによる色収差の変動が増大し、ズーム全域で良好な光学性能を確保する事が困難となってくる。更に好ましくは条件式（１）の数値範囲を次の如く設定するのが良い。
【００４２】
８．６＜ｆＦ１／ｆｗ＜１１．５          ・・・（１ａ）
各実施例において好ましくは次の諸条件のうち１以上を満足するのが良い。Ｆ１レンズ群ＬＦ１の光軸上の厚さをｄＦ１とする。Ｆ２レンズ群ＬＦ２の焦点距離をｆＦ２、望遠端における全系の焦点距離をｆｔとする。Ｆ１レンズ群ＬＦ１を構成する負レンズの材料のアッベ数をνＦ１ｎ、Ｆ１レンズ群を構成する正レンズの材料の屈折率とアッベ数を各々ｎＦ１ｐ、νＦ１ｐとする。
【００４３】
Ｆ１レンズ群ＬＦ１を負レンズと正レンズとを接合したときの接合レンズで構成したときの負レンズの物体側のレンズ面の曲率半径をＲＦ１ｎａ、正レンズの像側のレンズ面の曲率半径をＲＦ１ｐｂとする。このとき次の条件式のうち１以上を満足するのが良い。
【００４４】
０．０８＜ｄＦ１／ｆＦ１＜０．１４        ・・・（２）
−０．３０＜ｆＦ２／ｆｔ＜−０．１３      ・・・（３）
１．５５＜ｎＦ１ｐ＜１．８２              ・・・（４）
２２＜νＦ１ｐ−νＦ１ｎ＜４７            ・・・（５）
−０．９０＜（ＲＦ１ｎａ−ＲＦ１ｐｂ）／（ＲＦ１ｎａ＋ＲＦ１ｐｂ）＜−０．５５
・・・（６）
次に各条件式の技術的意味について説明する。
【００４５】
条件式（２）はズーミングに際してのＦ２レンズ群ＬＦ２の移動量を適切に設定しつつ、前玉有効径の増大を軽減するためのものである。条件式（２）はＦ１レンズ群ＬＦ１の軸上厚をＦ１レンズ群ＬＦ１の焦点距離で規格化している。条件式（２）の上限値を超えてＦ１レンズ群ＬＦ１の軸上厚が大きくなり過ぎると、反射部材ＰＲよりも物体側のレンズ群の厚みが増大し薄型に沈胴する事が困難となってくる。
【００４６】
条件式（２）の下限値を超えてＦ１レンズ群ＬＦ１の軸上厚が小さくなり過ぎるとＦ１レンズ群ＬＦ１内の正レンズのコバ厚を確保する為にパワーを弱めなければならず、所望のパワーを得る事が難しく、又は前玉有効径が大型化してくる。
【００４７】
各実施例のズームレンズでは広角端の半画角として３６°以上を確保している。そしてＦ２レンズ群ＬＦ２で所望のズーム比を得るにはＦ１レンズ群ＬＦ１とＦ２レンズ群ＬＦ２の間隔変化を確保しつつ、前玉有効径の増大を抑える為にＦ１レンズ群ＬＦ１と中間群ＬＭの広角端での距離を短くする必要がある。Ｆ１レンズ群ＬＦ１と中間群ＬＭの広角端での距離を短くする為には、Ｆ２レンズ群ＬＦ２のズーミングに際しての移動量を適切に設定する必要がある。
【００４８】
条件式（３）はＦ１レンズ群ＬＦ１とＦ２レンズ群ＬＦ２のズーミングによる収差変動を抑えつつＦ２レンズ群ＬＦ２のズーミングに際しての移動量を適切に設定し所望の変倍分担を担わせる為のものである。条件式（３）式はＦ２レンズ群ＬＦ２の焦点距離を望遠端における全系の焦点距離で規格化している。条件式（３）の上限値を超えてＦ２レンズ群ＬＦ２の焦点距離が小さくなり過ぎるとＦ２レンズ群ＬＦ２で発生するコマ収差が大きくなりズーム全域で良好な収差補正を行う事が困難となってくる。
【００４９】
条件式（３）の下限値を超えてＦ２レンズ群ＬＦ２の焦点距離が大きくなり過ぎるとＦ２レンズ群ＬＦ２のズーミングに際しての移動量が増大する。そうすると広角端においてＦ１レンズ群ＬＦ１から開口絞りＳＰから離れて配置されるため、前玉有効径が増大してくる。
【００５０】
条件式（２），条件式（３）はＦ１レンズ群ＬＦ１とＦ２レンズ群ＬＦ２の焦点距離を適切に設定する事により中間群ＬＭよりも物体側のレンズ群で所望の変倍作用を得ている。それとともにＦ１レンズ群ＬＦ１を負レンズと正レンズで構成してＦ１レンズ群ＬＦ１の薄型化を達成している。高ズーム比のズームレンズにおいてズーミングの際の色収差の変動を抑制する為には物体側の第１レンズ群を３つのレンズで構成とすると諸収差の補正が容易になる。
【００５１】
これに対して、各実施例においては、条件式（１）乃至（３）を満足させると共に、Ｆ１レンズ群ＬＦ１を構成するレンズの材料を適切に設定する事により２つのレンズで構成しつつズーミングの際の色収差の変動を容易に抑制している。
【００５２】
条件式（４）はＦ１レンズ群ＬＦ１を構成する正レンズの材料の屈折率に関し、Ｆ１レンズ群ＬＦ１を構成する正レンズの厚さを薄くするためのものである。条件式（４）の上限値を超えて正レンズの材料の屈折率が高くなり過ぎると、低分散硝子が存在しない領域となりＦ１レンズ群ＬＦ１内において色収差を補正する事が困難となってくる。条件式（４）の下限値を超えて正レンズの材料の屈折率が低くなり過ぎると、正レンズの厚みが増大し、Ｆ１レンズ群ＬＦ１全体が大型化してくるので良くない。
【００５３】
条件式（５）はＦ１レンズ群を構成する正レンズと負レンズの材料のアッベ数の差に関し、主にズーミングに際しての色収差の変動を少なくするためのものである。条件式（５）の上限値を超えてアッベ数差が大きくなり過ぎると、Ｆ１レンズ群ＬＦ１の軸上色収差が補正過剰となり色収差をズーム全域で良好に補正する事が困難となってくる。条件式（５）の下限値を超えてアッベ数差が小さくなり過ぎるとＦ１レンズ群ＬＦ１の軸上色収差が補正不足となり色収差をズーム全域で良好に補正する事が困難となってくる。
【００５４】
条件式（６）はＦ１レンズ群ＬＦ１を構成する負レンズと正レンズとを接合した接合レンズで構成したときの接合レンズのシェーブファクターに関する。主に広角端の撮影半画角として３６°以上を確保しつつ広角域において歪曲、像面湾曲等を良好に補正する為のものである。条件式（６）の上限値を超えると広角域において歪曲収差の補正が困難となってくる。条件式（６）の下限値を超えて接合レンズのメニスカス度合いが強くなり過ぎると広角域において画面周辺部のコマフレアーを補正する事が困難となってくる。更に好ましくは条件式（２）乃至（６）の数値範囲を次の如く設定するのが良い。
【００５５】
０．０８５＜ｄＦ１／ｆＦ１＜０．１３５        ・・・（２ａ）
−０．２５＜ｆＦ２／ｆｔ＜−０．１７          ・・・（３ａ）
１．５８＜ｎＦ１ｐ＜１．７８                  ・・・（４ａ）
２３＜νＦ１ｐ−νＦ１ｎ＜４４                ・・・（５ａ）
−０．８５＜（ＲＦ１ｎａ−ＲＦ１ｐｂ）／（ＲＦ１ｎａ＋ＲＦ１ｐｂ）＜−０．６０
・・・（６ａ）
以上のように各実施例によれば、広角端における撮影半画角が３６°程度以上の広画角を有しつつ、１０倍程度のズーム比を有しつつ薄型に沈胴し、コンパクトで携帯性に優れたズームレンズが得られる。
【００５６】
各実施例においてＲ１レンズ群ＬＲ１内に開口絞りＳＰを有し、広角端より望遠端へのズーミングに際して物体側へ移動し、後群ＬＲの主たる変倍分担を担う構成としている。実施例２乃至５において中間群ＬＭは負の屈折力のレンズ群を有し、これにより高ズーム比化を図る際の収差を良好に補正している。
【００５７】
図１１（Ｗ）と図１１（Ｔ）は例として本発明の実施例１のズームレンズを選択し、それをカメラ本体に収納したときの広角端と望遠端における要部断面図である。図１１（Ｗ）と図１１（Ｔ）において符番で示す各部材は図１に示す各部材に付した符号と同じ部材を示している。前群ＬＦはカメラの前方に位置し、後群ＬＲはカメラ本体の横方向に展開されるようにしている。
【００５８】
各実施例のズームレンズは、撮影光学系内部に物体側からの光を折り曲げる反射部材ＰＲを含むことで、カメラの厚み方向を薄くすることを容易にしている。
【００５９】
図１２は例として本発明の実施例１のズームレンズを選択し、カメラの電源をｏｆｆとし、非撮影時であって沈胴状態のときの各レンズ群の配置を示す要部概略図である。図１２では沈胴収納に際して、前群ＬＦが光軸方向で中間群ＬＭの方へ移動し、中間群ＬＭが不動であることを示している。
【００６０】
図１３は例として本発明の実施例１を選択し、カメラの電源をｏｆｆとし、非撮影時であって沈胴状態のときの各レンズ群の配置を示す要部概略図である。同図では、沈胴収納に際して中間群ＬＭは不動であり、前記後群は像側（ＩＰ側）へ移動し、Ｆ２レンズ群ＬＦ２は中間群ＬＭと後群ＬＲの間に移動し、Ｆ１レンズ群ＬＦ１は光軸方向で中間群ＬＭ側へ移動することを示している。後群ＬＲが移動したことによって生ずる空間内にＦ２レンズ群ＬＦ２を配置することによって、沈胴時のカメラの前後方向の厚さを薄くしている。
【００６１】
以上のように、各実施例によれば広角端における撮影半画角が３７度程度以上の広画角を有しつつ、１０倍程度のズーム比を有しカメラの厚み方向と横幅方向共にコンパクトで携帯性に優れたズームレンズが得られる。
【００６２】
次に本発明のズームレンズを撮影光学系として用いたデジタルカメラ（光学機器）の実施形態を図１４を用いて説明する。図１４において、２０はデジタルカメラ本体、２１は上述の実施例のズームレンズによって構成された撮影光学系である。ＰＲは反射部材（反射プリズム）である。撮影光学系２１は被写体の像をＣＣＤ等の固体撮像素子上（光電変換素子上）２２に形成している。２３は撮像素子２２が受光した被写体の像を記録する記録手段、２４は不図示の表示素子に表示された画像を観察するためのファインダーである。
【００６３】
上記表示素子は液晶パネル等によって構成され、撮像素子２２上に形成された画像が表示される。このように本発明のズームレンズをデジタルカメラ等に適用することにより、小型で高い光学性能を有する撮像装置を実現している。
【００６４】
次に、本発明の各実施例に対応する数値実施例を示す。数値実施例において、ｉは物体側からの面の順序を示す。ｒｉはレンズ面の曲率半径、ｄｉは第ｉ面と第ｉ＋１面との間のレンズ肉厚および空気間隔である。ｎｄｉ、νｄｉはそれぞれｄ線に対する屈折率、アッベ数を表す。ｒ１０、ｒ１１は反射プリズムＰＲの光学面である。数値実施例１においてｒ１５、数値実施例２乃至５においてｒ１７は設計上用いたダミー面である。また最後の２つの面はガラスブロックの面を示す。また、ｋ、Ａ４、Ａ６、Ａ８、Ａ１０、Ａ１２は非球面係数である。非球面形状は光軸からの高さｈの位置での光軸方向の変位を、面頂点を基準にしてｘとするとき以下の式で定義される。
【００６５】
ｘ＝（ｈ2／Ｒ）／［１＋｛１−（１＋ｋ）（ｈ／Ｒ）2｝1/2］
＋A4ｈ4＋A6ｈ6＋A8ｈ8＋A10ｈ10＋A12ｈ12
但し、ここでＲは曲率半径である。又、前述の各条件式と各実施例との関係を表１に示す。バックフォーカスＢＦは最終レンズ面から像面までの空気換算長で表している。
【００６６】
［数値実施例１］
単位 mm
面データ
面番号       r        d      nd         νd
1         30.211    1.10   1.85478    24.8 
2         19.217    3.80   1.77250    49.6 
3        122.790  (可変) 
4        -95.552    0.50   1.77250    49.6 
5*        17.748    3.10 
6        -16.185    0.50   1.69680    55.5 
7         13.454    2.06 
8         41.118    2.00   2.10205    16.8 
9        -93.099  (可変) 
10          ∞       8.00   1.83481    42.7 
11          ∞     (可変) 
12*         8.569    2.50   1.55332    71.7 
13*      -321.166    1.00 
14(絞り)    ∞       0.00 
15          ∞       1.00 
16         10.168    0.60   2.00069    25.5 
17          6.886    0.26 
18          7.324    2.50   1.48749    70.2 
19         -7.792    0.50   1.88300    40.8 
20        -42.900  (可変) 
21        -32.509    0.50   1.88300    40.8 
22         11.000    1.00   1.95906    17.5 
23         21.000  (可変) 
24*        39.452    1.30   1.55332    71.7 
25        -18.057  (可変) 
26*       113.386    2.50   1.58313    59.4 
27        -12.583    0.40   2.00272    19.3 
28        -14.057  (可変) 
29          ∞       0.80   1.51633    64.1 
30          ∞       1.81 
像面        ∞
【００６７】
非球面データ
第5面
K =-7.29155e-001  A 4=-7.47347e-005  A 6= 7.35314e-007  A 8=-1.29700e-007  A10= 2.43489e-009  A12=-1.67906e-011
第12面
K =-2.63453e+000  A 4= 6.17001e-004  A 6= 6.71453e-006  A 8= 3.71885e-007
第13面
K =-5.06068e+004  A 4= 5.16034e-005  A 6= 2.46550e-005 
第24面
K =-5.25894e+001  A 4=-2.73605e-004  A 6= 8.80466e-008 
第26面
K = 2.17070e+002  A 4= 1.50332e-004  A 6=-1.86684e-006 
各種データ
ズーム比     9.45
広角     中間     望遠
焦点距離       5.15     6.78    48.70 
Fナンバー      3.21     3.26     6.07
半画角（度）  36.94    29.77     4.55
像高           3.88     3.88     3.88 
レンズ全長    83.92    76.83    92.73 
BF             9.53     9.45     4.28 
d 3            2.00     2.00    25.80 
d 9           16.00     8.91     1.00 
d11           13.15    11.74     1.74 
d20            0.80     2.22    12.22 
d23            6.52     5.01     1.50 
d25            0.80     2.38    11.07 
d28            7.19     7.11     1.94 
ズームレンズ群データ
群  始面    焦点距離
1    1      54.88
2    4      -9.70
3   10       ∞
4   12      15.08
5   21     -15.00
6   24      22.57
7   26      23.14
8   29       ∞
d 5            0.70     1.64    17.54 
d11            6.70     4.63     0.90 
d15           13.72    10.94     0.80 
d24            1.34     4.11    14.26 
d27            5.81     4.37     1.03 
d29            0.80     2.59    13.24 
d32            8.96     8.61     1.30 
ズームレンズ群データ
群  始面    焦点距離
1    1      54.88
2    4      -9.70
3   10       ∞
4   12      15.08
5   21     -15.00
6   24      22.57
7   26      23.14
8   29       ∞
【００６８】
［数値実施例２］
単位 mm
面データ
面番号       r        d      nd         νd
1         31.410    1.10   1.85478    24.8 
2         19.386    4.80   1.77250    49.6 
3        132.575  (可変) 
4       -138.393    0.50   1.77250    49.6 
5*        12.641    3.55 
6        -37.255    0.50   1.69680    55.5 
7         17.243    1.66 
8         27.103    2.50   2.10205    16.8 
9        293.093  (可変) 
10          ∞       8.00   1.83481    42.7 
11          ∞       0.84 
12        -16.566    0.60   1.88300    40.8 
13        -37.124  (可変) 
14*         8.589    2.50   1.55332    71.7 
15*       -31.954    1.00 
16(絞り)    ∞       0.00 
17          ∞       1.00 
18         10.262    0.60   2.00069    25.5 
19          6.874    1.42 
20         13.289    2.50   1.48749    70.2 
21        -20.289    0.50   1.88300    40.8 
22        -29.191  (可変) 
23        -32.509    0.50   1.88300    40.8 
24         11.000    1.00   1.95906    17.5 
25         21.000  (可変) 
26*        35.059    1.30   1.55332    71.7 
27       -128.723  (可変) 
28*        31.890    2.30   1.58313    59.4 
29        -10.577    0.40   2.00272    19.3 
30        -15.178  (可変) 
31          ∞       0.80   1.51633    64.1 
32          ∞       1.90 
像面        ∞
【００６９】
非球面データ
第5面
K = 9.27440e-001  A 4=-4.98897e-005  A 6=-3.47331e-007  A 8=-1.02640e-007  A10= 1.99667e-009  A12=-1.51115e-011
第14面
K =-1.83007e+000  A 4= 2.25474e-004  A 6= 4.90714e-007  A 8= 3.08900e-008
第15面
K =-4.19168e+000  A 4= 1.07640e-004  A 6= 1.61243e-006 
第26面
K =-4.62654e+000  A 4= 1.32094e-004  A 6= 7.15592e-007 
第28面
K = 1.99926e+001  A 4=-1.83889e-004  A 6=-3.83359e-006 
各種データ
ズーム比     9.48
広角     中間     望遠
焦点距離       5.14     7.33    48.71 
Fナンバー      3.84     4.07     6.07
半画角（度）  37.03    27.87     4.55
像高           3.88     3.88     3.88 
レンズ全長    86.89    81.37    98.96 
BF            10.73     8.75     7.47 
d 3            1.20     2.03    26.58 
d 9           14.21     7.86     0.90 
d13           14.54    12.50     2.15 
d22            0.90     2.94    13.29 
d25            5.44     4.25     1.48 
d27            0.80     3.96     8.02 
d30            8.30     6.33     5.04 
ズームレンズ群データ
群  始面    焦点距離
1    1      56.60
2    4     -11.61
3   10     -34.35
4   14      12.71
5   23     -15.00
6   26      49.94
7   28      22.60
8   31       ∞
【００７０】
［数値実施例３］
単位 mm
面データ
面番号       r        d      nd         νd
1         29.948    1.10   1.85478    24.8 
2         17.908    4.80   1.77250    49.6 
3        176.512  (可変) 
4       -139.166    0.50   1.77250    49.6 
5*        12.724    3.70 
6        -36.040    0.50   1.69680    55.5 
7         17.562  (可変) 
8         27.762    2.50   2.10205    16.8 
9        344.701  (可変) 
10          ∞       8.00   1.83481    42.7 
11          ∞       0.84 
12        -16.566    0.60   1.88300    40.8 
13        -37.124  (可変) 
14*         8.618    2.50   1.55332    71.7 
15*       -33.000    1.00 
16(絞り)    ∞       0.00 
17          ∞       1.00 
18         10.309    0.60   2.00069    25.5 
19          6.875    1.34 
20         13.153    2.50   1.48749    70.2 
21        -19.478    0.50   1.88300    40.8 
22        -28.862  (可変) 
23        -32.509    0.50   1.88300    40.8 
24         11.000    1.00   1.95906    17.5 
25         21.000  (可変) 
26*        43.376    1.30   1.55332    71.7 
27        -75.061  (可変) 
28*        31.659    2.30   1.58313    59.4 
29        -10.500    0.40   2.00272    19.3 
30        -15.143  (可変) 
31          ∞       0.80   1.51633    64.1 
32          ∞       1.80 
像面        ∞
【００７１】
非球面データ
第5面
K = 9.74011e-001  A 4=-6.37241e-005  A 6=-4.46713e-008  A 8=-1.06710e-007  A10= 2.07447e-009  A12=-1.58067e-011
第14面
K =-1.75408e+000  A 4= 2.09188e-004  A 6= 7.98722e-007  A 8= 1.00818e-008
第15面
K =-3.36067e+000  A 4= 1.10780e-004  A 6= 1.21470e-006 
第26面
K =-1.39571e+000  A 4= 1.07385e-004  A 6= 1.27256e-006 
第28面
K = 2.07111e+001  A 4=-1.74027e-004  A 6=-3.51252e-006 
各種データ
ズーム比     9.46
広角     中間     望遠
焦点距離       5.15     7.06    48.71 
Fナンバー      3.79     3.96     6.07
半画角（度）  36.95    28.75     4.55
像高           3.88     3.88     3.88 
レンズ全長    86.18    80.17    94.33 
BF            11.24     9.63     7.66 
d 3            1.20     1.27    21.19 
d 7            0.93     0.79     2.45 
d 9           14.27     8.32     0.90 
d13           15.10    13.06     0.82 
d22            0.89     2.93    15.17 
d25            4.29     3.30     1.00 
d27            0.80     3.39     7.66 
d30            8.91     7.31     5.34 
ズームレンズ群データ
群  始面    焦点距離
1    1      49.98
2    4      -7.09
3    8      27.28
4   10     -34.35
5   14      12.84
6   23     -15.00
7   26      49.88
8   28      22.60
9   31       ∞
【００７２】
［数値実施例４］
単位 mm
面データ
面番号       r        d      nd         νd
1         28.240    1.10   1.85478    24.8 
2         16.878    4.80   1.77250    49.6 
3        223.095  (可変) 
4        -97.382    0.50   1.77250    49.6 
5*        12.822    3.73 
6        -35.631    0.50   1.69680    55.5 
7         17.381    1.76 
8         27.547    2.50   2.10205    16.8 
9        376.315  (可変) 
10          ∞       8.00   1.83481    42.7 
11          ∞       0.84 
12        -16.566    0.60   1.88300    40.8 
13        -37.124  (可変) 
14*         8.604    2.50   1.55332    71.7 
15*       -35.122    1.00 
16(絞り)    ∞       0.00 
17          ∞       1.00 
18         10.317    0.60   2.00069    25.5 
19          6.947    1.36 
20         13.554    2.50   1.48749    70.2 
21        -19.400    0.50   1.88300    40.8 
22        -28.663  (可変) 
23        -32.509    0.50   1.88300    40.8 
24         11.000    1.00   1.95906    17.5 
25         21.000  (可変) 
26*        27.758    1.30   1.55332    71.7 
27       -123.070  (可変) 
28*        31.973    2.30   1.58313    59.4 
29        -10.718    0.40   2.00272    19.3 
30        -15.489  (可変) 
31          ∞       0.80   1.51633    64.1 
32          ∞       1.82 
像面        ∞
【００７３】
非球面データ
第5面
K = 9.67318e-001  A 4=-4.17106e-005  A 6=-6.31320e-007  A 8=-1.05991e-007  A10= 2.09889e-009  A12=-1.54944e-011
第14面
K =-1.69029e+000  A 4= 2.08185e-004  A 6=-5.33890e-008  A 8= 2.20299e-008
第15面
K =-3.55237e+000  A 4= 1.16539e-004  A 6= 5.21053e-007 
第26面
K =-1.14937e+001  A 4= 1.68121e-004  A 6= 1.12279e-006 
第28面
K = 2.52806e+001  A 4=-2.03617e-004  A 6=-4.96685e-006 
各種データ
ズーム比     9.44
広角     中間     望遠
焦点距離       5.16     6.90    48.69 
Fナンバー      3.65     3.79     6.07
半画角（度）  36.91    29.31     4.55
像高           3.88     3.88     3.88 
レンズ全長    85.23    79.36    90.89 
BF            10.73     9.10     8.33 
d 3            1.20     1.10    19.47 
d 9           13.51     7.74     0.90 
d13           14.95    13.05     1.09 
d22            0.90     2.80    14.75 
d25            3.86     3.00     1.01 
d27            0.80     3.28     6.05 
d30            8.38     6.76     5.98 
ズームレンズ群データ
群  始面    焦点距離
1    1      44.80
2    4     -11.41
3   10     -34.35
4   14      12.92
5   23     -15.00
6   26      41.06
7   28      23.04
8   31       ∞
【００７４】
［数値実施例５］
単位 mm
面データ
面番号       r        d      nd         νd
1         23.390    1.10   1.85478    24.8 
2         16.926    5.10   1.59282    68.6 
3        226.395  (可変) 
4       -278.736    0.50   1.77250    49.6 
5*        12.939    3.88 
6        -29.743    0.50   1.69680    55.5 
7         15.743    1.29 
8         26.193    1.80   1.95906    17.5 
9       -213.365  (可変) 
10          ∞       8.00   1.83481    42.7 
11          ∞       0.84 
12        -16.566    0.60   1.88300    40.8 
13        -37.124  (可変) 
14*         8.913    2.50   1.55332    71.7 
15*       -34.131    1.00 
16(絞り)    ∞       0.00 
17          ∞       1.00 
18          9.542    0.60   2.00069    25.5 
19          6.956    1.64 
20         17.537    2.50   1.48749    70.2 
21        -16.657    0.50   1.69680    55.5 
22        -23.465  (可変) 
23        -79.057    0.50   1.88300    40.8 
24         14.470    0.80   1.92286    18.9 
25         15.943  (可変) 
26*        17.169    2.30   1.58313    59.4 
27        -17.311    0.40   2.00272    19.3 
28        -21.982  (可変) 
29          ∞       0.80   1.51633    64.1 
30          ∞       1.64 
像面        ∞
【００７５】
非球面データ
第5面
K = 9.35180e-001  A 4=-3.21278e-005  A 6=-8.30874e-007  A 8=-9.97245e-008  A10= 2.07794e-009  A12=-1.52825e-011
第14面
K =-1.77367e+000  A 4= 2.13909e-004  A 6=-2.79181e-006  A 8= 3.73898e-008
第15面
K =-8.47044e+000  A 4= 1.20259e-004  A 6=-2.08407e-006 
第26面
K = 3.75998e+000  A 4=-1.01752e-004  A 6=-2.45121e-006 
各種データ
ズーム比     9.40
広角     中間     望遠
焦点距離       5.18     6.55    48.69 
Fナンバー      4.02     3.87     6.07
半画角（度）  36.79    30.60     4.55
像高           3.88     3.88     3.88 
レンズ全長    86.85    78.41    93.11 
BF            10.87    10.71     6.17 
d 3            0.70     0.50    22.08 
d 9           16.12     7.88     1.00 
d13           15.38    14.44     2.16 
d22            1.16     2.10    14.38 
d25            5.28     5.44     9.98 
d28            8.70     8.54     4.01 
ズームレンズ群データ
群  始面    焦点距離
1    1      52.57
2    4     -11.44
3   10     -34.35
4   14      12.64
5   23     -15.00
6   26      18.46
7   29       ∞
【００７６】
【表１】
2013205533.tif 000001
【符号の説明】
【００７７】
ＬＦ  前群      ＬＭ  中間群      ＬＲ  後群
ＰＲ  反射部材      ＬＦ１  Ｆ１レンズ群      ＬＦ２  Ｆ２レンズ群
ＬＭ１  Ｍ１レンズ群      ＬＲ１  Ｒ１レンズ群
ＬＲ２  Ｒ２レンズ群      ＬＲ３  Ｒ３レンズ群
ＬＲ４  Ｒ４レンズ群